(57)【要約】【課題】  本発明はこのような事情に鑑み、電線の被覆の破損を防止した電線支持具を提供する。【解決手段】  メッセンジャーワイヤー２に設けられて電線３を前記メッセンジャーワイヤー２の軸方向に沿って支持する電線支持具１０において、螺旋形状に湾曲して設けられた絶縁部１３と、該絶縁部１３の両端に設けられて前記メッセンジャーワイヤー２に固定される一対の固定部１４とを具備する支持部材１１と、該支持部材１１の底面に前記電線３の軸方向に亘って湾曲して設けられて、前記電線３の軸方向に亘って当該電線３に面接触する樋部材１２とを具備する。【選択図】      図２
2007068306.tif 000002
【特許請求の範囲】
【請求項１】
メッセンジャーワイヤーに設けられて電線を前記メッセンジャーワイヤーの軸方向に沿って支持する電線支持具において、
螺旋形状に湾曲して設けられた絶縁部と、該絶縁部の両端に設けられて前記メッセンジャーワイヤーに固定される一対の固定部とを具備する支持部材と、該支持部材の底面に前記電線の軸方向に亘って湾曲して設けられて、前記電線の軸方向に亘って当該電線に面接触する樋部材とを具備することを特徴とする電線支持具。
【請求項２】
請求項１において、前記樋部材が前記電線の軸方向に亘って両端が鉛直方向下側に向かって湾曲していると共に、当該樋部材の前記電線の軸方向の曲率半径が２〜３ｃｍであることを特徴とする電線支持具。
【請求項３】
請求項１又は２において、前記樋部材が絶縁部材からなることを特徴とする電線支持具。
【請求項４】
請求項１〜３の何れかにおいて、前記メッセンジャーワイヤーよりも１ｍ以上鉛直方向下側に固定された前記電線の固定側の端部に設けられていることを特徴とする電線支持具。
【発明の詳細な説明】
【技術分野】
【０００１】
本発明は、並設された電柱間に設けられたメッセンジャーワイヤーに電線を支持させる電線支持具に関する。
【背景技術】
【０００２】
並設された電柱間に電線を配設するには、電柱間にメッセンジャーワイヤーを配し、このメッセンジャーワイヤーにワイヤーハンガーからなる電線支持具によって電線を支持させている。
【０００３】
ワイヤーハンガーは、ケーブル（電線）を支持するケーブル支持部と、ケーブル支持部の両端に設けられてメッセンジャーワイヤーに掛けるフック形状を有する取り付け部とを具備する（例えば、特許文献１参照）。
【０００４】
しかしながら、電線を電柱のメッセンジャーワイヤーから鉛直方向下側の離れた位置に固定すると、電線がワイヤーハンガーなどの電線支持具に線接触して曲がった状態で支持されるため、電線の自重や風などの影響で電線が電線支持具に擦れてしまい、電線の被覆が破損してしまうという問題がある。特に、電線支持具に通信線などの電線を複数本支持させた際に、このような問題は顕著に現れる。
【０００５】
【特許文献１】特開２００４−３５７３８５号公報（第４〜１１頁、第１図）
【発明の開示】
【発明が解決しようとする課題】
【０００６】
本発明はこのような事情に鑑み、電線の被覆の破損を防止した電線支持具を提供することを課題とする。
【課題を解決するための手段】
【０００７】
上記課題を解決する本発明の第１の態様は、メッセンジャーワイヤーに設けられて電線を前記メッセンジャーワイヤーの軸方向に沿って支持する電線支持具において、螺旋形状に湾曲して設けられた絶縁部と、該絶縁部の両端に設けられて前記メッセンジャーワイヤーに固定される一対の固定部とを具備する支持部材と、該支持部材の底面に前記電線の軸方向に亘って湾曲して設けられて、前記電線の軸方向に亘って当該電線に面接触する樋部材とを具備することを特徴とする電線支持具にある。
【０００８】
かかる第１の態様では、電線が樋部材に面接触するため、電線の自重や風により電線が樋部材に摺接しても、電線の被覆が破損するのを防止することができる。
【０００９】
本発明の第２の態様は、第１の態様において、前記樋部材が前記電線の軸方向に亘って両端が鉛直方向下側に向かって湾曲していると共に、当該樋部材の前記電線の軸方向の曲率半径が２〜３ｃｍであることを特徴とする電線支持具にある。
【００１０】
かかる第２の態様では、樋部材が所定の曲率で湾曲していることによって、電線に確実に面接触して、電線の被覆が破損するのを防止することができる。
【００１１】
本発明の第３の態様は、第１又は２の態様において、前記樋部材が絶縁部材からなることを特徴とする電線支持具にある。
【００１２】
かかる第３の態様では、電線の漏電及び短絡等を確実に防止することができる。
【００１３】
本発明の第４の態様は、第１〜３の何れかの態様において、前記メッセンジャーワイヤーよりも１ｍ以上鉛直方向下側に固定された前記電線の固定側の端部に設けられていることを特徴とする電線支持具にある。
【００１４】
かかる第４の態様では、電線が固定された位置がメッセンジャーワイヤーよりも離れていたとしても、樋部材が電線に面接触して、電線の被覆が破損するのを防止することができる。
【発明の効果】
【００１５】
本発明によれば、樋部材が電線に面接触するため、電線が自重や風などによって樋部材に摺接したとしても、電線の被覆が破損するのを防止することができる。これにより、電柱に固定する電線の位置をメッセンジャーワイヤーよりも離すことができる。
【発明を実施するための最良の形態】
【００１６】
以下に本発明を実施形態に基づいて詳細に説明する。
【００１７】
（実施形態１）
図１は、本発明の実施形態１に係る配電設備の概略図であり、図２は、本発明の実施形態１に係る電線支持具の斜視図及び平面図である。
【００１８】
図１に示すように、並設された電柱１と、電柱１の間に配設されたメッセンジャーワイヤー２とを具備する。
【００１９】
また、一方の電柱１には、メッセンジャーワイヤー２の鉛直方向下側に電線３がバインドレスガイシ４を介して固定されている。電線３の電柱１への固定位置は、本実施形態では、メッセンジャーワイヤー２の１ｍ以上鉛直方向下側の位置、例えば、２〜３ｍの位置である。
【００２０】
さらに、電線３は、複数のケーブルハンガーである電線支持具１０及び１００によってメッセンジャーワイヤー２の軸方向に沿って、すなわち、メッセンジャーワイヤー２と平行して支持されている。また、複数の電線支持具１０及び１１０によって支持された電線３は、電柱１と固定された端部とは反対側が、途中支持金具５及びバインドレスガイシ４によってメッセンジャーワイヤー２に固定されている。
【００２１】
そして、電線３をメッセンジャーワイヤー２と平行して支持する領域では、電線３の電柱１と固定された端部に本実施形態の電線支持具１０が用いられており、その他の領域に従来構成の電線支持具１００が用いられている。
【００２２】
ここで、本実施形態の電線支持具１０及び従来構成の電線支持具１００について詳細に説明する。なお、図２は、本発明の実施形態１に係る電線支持具を示す斜視図及び平面図であり、図３は、従来の電線支持具を示す斜視図及び平面図である。
【００２３】
図２に示すように、本実施形態の電線支持具１０は、メッセンジャーワイヤー２に固定された支持部材１１と、支持部材１１の底面側に設けられた樋部材１２とを具備する。
【００２４】
支持部材１１は、螺旋形状に湾曲した絶縁部１３と、絶縁部１３の両端部に設けられてメッセンジャーワイヤー２に固定される固定部１４とを具備する。
【００２５】
絶縁部１３は、絶縁性の材料、例えば、樹脂やゴムなどからなる。また、固定部１４は、メッセンジャーワイヤー２に掛けられるフック形状を有する金属などからなる。本実施形態では、金属からなる棒状部材を螺旋形状及びフック形状に湾曲し、この棒状部材の外周に断面が三角形状に形成された筒状の絶縁部１３を被覆させることで、絶縁部１３及び固定部１４を形成している。このような支持部材１１は、フック形状の固定部１４をメッセンジャーワイヤー２に掛けた状態で、湾曲した底面側がメッセンジャーワイヤー２の鉛直方向下側にぶら下がった状態で固定される。
【００２６】
また、樋部材１２は、支持部材１１の底面側に固定されたものであり、電線３の半径方向に湾曲した形状を有する。また、樋部材１２は、電線３の軸方向に亘って両端部が鉛直方向下側に向かって湾曲した形状を有する。電線３がメッセンジャーワイヤー２から２〜３ｍ鉛直方向下側に固定された際には、樋部材１２の電線３の軸方向の曲率半径を２〜３ｃｍとするのが好適である。
【００２７】
このような樋部材１２は、樹脂等の絶縁性の材料からなる。本実施形態では、樋部材１２を絶縁部１３と一体的に設けるようにした。なお、樋部材１２は、絶縁部１３に着脱自在に固定するようにしてもよく、また、樋部材１２を上述したように固定部１４となる棒状部材を湾曲したものに、直接固定するようにしてもよい。このように樋部材１２を固定部１４となる棒状部材に直接固定した場合には、絶縁部１３を樋部材１２の両側に設けるようにすればよい。
【００２８】
このような電線支持具１０を、上述のように支持する電線３の電柱１に固定された側の端部に設けることで、電線３が樋部材１２に面接触して、電線３の自重や風などにより擦れて電線３の被覆が破損するのを防止することができる。このような電線３の被覆の破損の防止は、電線３が電柱１にメッセンジャーワイヤー２から１ｍ以上鉛直方向下側、特に２〜３ｍ下側に固定された際に有効である。
【００２９】
一方、電線３の電柱１に固定された端部以外は、従来構成の電線支持具１００により支持することができる。
【００３０】
この従来構成の電線支持具１００は、図３に示すように、上述した支持部材１１のみで構成されている。すなわち、従来構成の電線支持具１００は、螺旋形状に設けられた絶縁部１３と、絶縁部１３の両端部に設けられたフック形状の固定部１４とを具備する。
【００３１】
この電線支持具１００によって、電線３を直線状に支持することで、絶縁部１３が電線３と線接触しても、電線３の被覆を破損することがない。このため、本実施形態では、電線３が電柱１に固定された端部側以外の領域を従来構成の電線支持具１００によって支持させるようにした。
【００３２】
このように、電線支持具１０を電線３の電柱１に固定された端部側のみに用いることによって、コストを低減することができる。また、従来構成の電線支持具１００に、樋部材１２を設けるだけで本実施形態の電線支持具１０とすることができるため、既存の電線３を支持している電線支持具１００に樋部材１２を装着するだけで、電線３の被覆の破損を防止することができ、電線支持具１００を交換することなく、コストを低減することができる。
【００３３】
（他の実施形態）
以上、本発明の実施形態を説明したが、本発明の基本的構成は上述したものに限定されるものではない。例えば、上述した実施形態１では、固定部１４をフック形状とし、固定部１４をメッセンジャーワイヤー２に掛けるようにしたが、特にこれに限定されず、固定部１４がメッセンジャーワイヤー２を挟み込む形状としてもよい。
【産業上の利用可能性】
【００３４】
本発明は、電線支持具の製造業、設置業及び保守管理業などの産業に利用することができる。
【図面の簡単な説明】
【００３５】
【図１】本発明の実施形態１に係る配電設備の概略を示す図である。
【図２】本発明の実施形態１に係る電線支持具の斜視図及び平面図である。
【図３】本発明の実施形態１に係る従来構成の電線支持具の斜視図及び平面図である。
【符号の説明】
【００３６】
１  電柱
２  メッセンジャーワイヤー
３  電線
４  バインドレスガイシ
５  途中支持金具
１０  電線支持具
１１  支持部材
１２  樋部材
１３  絶縁部
１４  固定部
１００  従来構成の電線支持具
【図１】
2007068306.tif 000003
【図２】
2007068306.tif 000004
【図３】
2007068306.tif 000005